(57)【要約】【課題】ネジを打ち込むことなくスロットマシンを遊技機島に固定することができ、しかも構造が簡易で製造コストも低廉なスロットマシン固定具を提供する。【解決手段】遊技機島４０を構成する上枠４１に取り付けられる固定部１１と、前記固定部１１に対して上下動し、スロットマシン５０の上面を押さえ付ける押圧部２０と、前記押圧部２０を上下動操作するための操作部３０と、を備える。前記固定部１１が前記上枠４１に取り付けられたときに、前記押圧部２０の正面が前記上枠４１の背面に臨むようになっており、前記押圧部２０には、前記上枠４１の背面に向けて突出する突起２１ａが設けた。【選択図】図２
2017131615.tif 000002
【特許請求の範囲】
【請求項１】
遊技機島を構成する上枠に取り付けられ、スロットマシンの上面を押さえ付けて固定するスロットマシン固定具であって、
前記上枠に取り付けられる固定部と、
前記固定部に対して上下動し、スロットマシンの上面を押さえ付ける押圧部と、
前記押圧部を上下動操作するための操作部と、
を備え、
前記固定部が前記上枠に取り付けられたときに、前記押圧部の正面が前記上枠の背面に臨むようになっており、前記押圧部には、前記上枠の背面に向けて突出する突起が設けられていることを特徴とする、スロットマシン固定具。
【請求項２】
スロットマシンの背面に係合する背面保持部を備えることを特徴とする、請求項１記載のスロットマシン固定具。
【請求項３】
前記背面保持部をスロットマシンの前後幅に合わせて伸縮可能としたことを特徴とする、請求項２記載のスロットマシン固定具。
【請求項４】
スロットマシンの背面下部を支持する背面支持構造を備え、
前記背面支持構造は、スロットマシンが載置される膳板に固定される膳板取付部材と、スロットマシンの背面に当接する背面支持部材と、を備え、
前記膳板取付部材には、櫛刃状の案内溝が形成され、
前記背面支持部材は、前記案内溝に摺動可能に係合するピンを介して前記膳板取付部材に取り付けられていることを特徴とする、請求項１〜３のいずれかに記載のスロットマシン固定具。
【発明の詳細な説明】
【技術分野】
【０００１】
この発明は、スロットマシンを遊技機島に固定するためのスロットマシン固定具に関する。
【背景技術】
【０００２】
ホールでは、遊技機島と呼ばれる構造物にスロットマシンが並設される。この遊技機島は、スロットマシンを載置する膳板を備え、スロットマシンの上面に臨む上枠を備えているのが一般的である。
【０００３】
スロットマシンを遊技機島に固定するときには、膳板にスロットマシンを載置し、スロットマシンの筐体の内側からネジを打ち込んで膳板や上枠に固定する方法が一般的であった。
【０００４】
しかしながら、ネジを打ち込む方法の場合、スロットマシンの入れ替え作業のたびに大工仕事が発生し、施工にかかる人件費が増大するという問題があった。
【０００５】
また、ネジを打ち込むことでスロットマシンの筐体や膳板・上枠に穴を開けることになるため、同じ箇所に何度も穴を開けると、遊技機島やスロットマシンが痛んだり、穴が大きくなってネジを螺着できなくなったりする問題があった。
【０００６】
この点、特許文献１には、パチンコ台を内側に固定する台装着枠体を設け、パチンコ島のパチンコ台を装着する開口窓部に台装着枠体を前後に揺動するように装着し、開口窓部に装着された台装着枠体の内側部にパチンコ台を固定するパチンコ台取付装置が開示されている。この特許文献１記載の構成は、パチンコ台の上端縁と下端縁とを前後から挟着固定するとともに、クランプレバーの操作によって上下する圧着突起を備え、この圧着突起によって遊戯機を上から押さえ付けて固定するようにしている。このような方法によれば、ネジを打ち込む作業が発生しないので、上記したような問題が発生しない。
【先行技術文献】
【特許文献】
【０００７】
【特許文献１】特許第３２７５１６２号公報
【発明の概要】
【発明が解決しようとする課題】
【０００８】
しかしながら、上記した特許文献１記載の構成は、台装着枠体の内側部にパチンコ台を固定するものであるため、当然のことながら、パチンコ台よりも大型の装置が必要となる。このため、既存の遊技機島に使用できなかったり、構造が大型かつ複雑であるため、製造コストが嵩んだり、といった問題があった。特に、スロットマシンにおいては、パチンコ台のように盤面の傾斜角度を調整する必要性がないので、特許文献１に記載されているような大型の構造は不要である。
【０００９】
そこで、本発明は、ネジを打ち込むことなくスロットマシンを遊技機島に固定することができ、しかも構造が簡易で製造コストも低廉なスロットマシン固定具を提供することを課題とする。
【課題を解決するための手段】
【００１０】
本発明は、上記した課題を解決するためになされたものであり、以下を特徴とする。
【００１１】
請求項１記載の発明は、遊技機島を構成する上枠に取り付けられ、スロットマシンの上面を押さえ付けて固定するスロットマシン固定具であって、前記上枠に取り付けられる固定部と、前記固定部に対して上下動し、スロットマシンの上面を押さえ付ける押圧部と、前記押圧部を上下動操作するための操作部と、を備え、前記固定部が前記上枠に取り付けられたときに、前記押圧部の正面が前記上枠の背面に臨むようになっており、前記押圧部には、前記上枠の背面に向けて突出する突起が設けられていることを特徴とする。
【００１２】
請求項２に記載の発明は、上記した請求項１に記載の発明の特徴点に加え、スロットマシンの背面に係合する背面保持部を備えることを特徴とする。
【００１３】
請求項３に記載の発明は、上記した請求項２に記載の発明の特徴点に加え、前記背面保持部をスロットマシンの前後幅に合わせて伸縮可能としたことを特徴とする。
【００１４】
請求項４に記載の発明は、上記した請求項１〜３のいずれかに記載の発明の特徴点に加え、スロットマシンの背面下部を支持する背面支持構造を備え、前記背面支持構造は、スロットマシンが載置される膳板に固定される膳板取付部材と、スロットマシンの背面に当接する背面支持部材と、を備え、前記膳板取付部材には、櫛刃状の案内溝が形成され、前記背面支持部材は、前記案内溝に摺動可能に係合するピンを介して前記膳板取付部材に取り付けられていることを特徴とする。
【発明の効果】
【００１５】
請求項１に記載の発明は上記の通りであり、遊技機島を構成する上枠に取り付けられる固定部と、前記固定部に対して上下動し、スロットマシンの上面を押さえ付ける押圧部と、前記押圧部を上下動操作するための操作部と、を備えた基本構造となっている。このため、スロットマシンの周囲を覆うような大型の装置ではなく、既存の遊技機島にも取り付け可能である。また、構造が小型かつ簡易であるので、製造コストを低廉に抑えることができる。
【００１６】
また、スロットマシンの上面を押圧部で押さえ付けることでスロットマシンを固定しているため、入れ替え作業の際にスロットマシンにネジを打ち込む作業が発生しない。よって、大工仕事が発生しないので、施工にかかる人件費を圧縮することができる。
【００１７】
また、入れ替え作業の際にスロットマシンの筐体や膳板・上枠に新たに穴を開ける必要がないので、遊技機島やスロットマシンが痛んだり、穴が大きくなってネジを螺着できなくなったりする問題も発生しない。
【００１８】
また、前記固定部が前記上枠に取り付けられたときに、前記押圧部の正面が前記上枠の背面に臨むようになっており、前記押圧部には、前記上枠の背面に向けて突出する突起が設けられている。このような構成によれば、スロットマシンの上面を押圧部で押さえ付けるという簡易な構造であっても安定してスロットマシンを固定することができる。
【００１９】
すなわち、押圧部が固定部に対して上下動する構造においては、押圧部と固定部との接続部を支点として押圧部が回転するおそれがある。押圧部が固定部に対して回転すると、いくら押圧部がしっかりとスロットマシンを押さえ込んでいたとしても押圧部自体が動いてしまうので、スロットマシンのガタつきが発生してしまう。スロットマシンがガタつくと、スロットマシンの姿勢が安定しないだけではなく、最悪の場合はガタつきの反動によってスロットマシンが遊技機島から外れてしまうおそれもある。
【００２０】
この点、本構成においては、上枠の背面に向けて突出する突起が設けられているため、押圧部が固定部に対して回転しようとしたとしても、突起が上枠に当たって回り止めの役割を果たす。このため、押圧部が動かないので、スロットマシンのガタつきが抑制される。そして、ガタつきが抑制されることで、ガタつきの反動によってスロットマシンが遊技機島から外れることも防止される。
【００２１】
また、請求項２に記載の発明は上記の通りであり、スロットマシンの背面に係合する背面保持部を備える。このような構成によれば、遊技者がスロットマシンの回動停止ボタンを押した場合など、スロットマシンを後方に押すような力が加わった場合でも、背面保持部によってスロットマシンの移動を抑制することができる。
【００２２】
また、請求項３に記載の発明は上記の通りであり、前記背面保持部をスロットマシンの前後幅に合わせて伸縮可能とした。このような構成によれば、スロットマシンの筐体の大きさに合わせて背面保持部を調整できるので、様々な種類のスロットマシンに対応することができる。
【００２３】
また、請求項４に記載の発明は上記の通りであり、スロットマシンの背面下部を支持する背面支持構造を備えるので、スロットマシンを後方に押すような力が加わった場合でも、スロットマシンの移動を抑制することができる。また、背面支持構造は、膳板に固定される膳板取付部材と、スロットマシンの背面に当接する背面支持部材と、を備え、背面支持部材は、櫛刃状の案内溝に摺動可能に係合するピンを介して膳板取付部材に取り付けられている。このような構成によれば、櫛刃状の案内溝に係合するピンの位置を変更するだけで、スロットマシンの背面に当接する背面支持部材の位置を変更することができる。よって、入れ替え作業の際にスロットマシンの奥行きに応じて背面支持部材の位置を変更するときも、大工仕事が発生しないので、施工性が良く、部材も傷まない。
【図面の簡単な説明】
【００２４】
【図１】遊技機島にスロットマシンを固定した状態の正面図である。
【図２】遊技機島にスロットマシンを固定した状態の側面図である。
【図３】スロットマシン固定具の正面図である。
【図４】スロットマシン固定具の背面図である。
【図５】スロットマシン固定具の側面図である。
【図６】スロットマシン固定具の作動説明図であって、（ａ）固定解除状態の図、（ｂ）固定状態の図である。
【図７】操作部を省略したスロットマシン固定具の平面図である。
【図８】遊技機島にスロットマシンを固定した状態を示す平面図である。
【図９】変形例１に係るスロットマシン固定具の正面図である。
【図１０】変形例２に係る背面支持構造の（ａ）平面図、（ｂ）側面図である。
【図１１】変形例２に係る背面支持構造を構成する膳板取付部材の（ａ）平面図、（ｂ）側面図である。
【図１２】変形例２に係る背面支持構造を構成する背面支持部材の（ａ）平面図、（ｂ）側面図である。
【図１３】変形例２に係る背面支持構造の使用方法を説明する図であって、（ａ）ネジが背面支持部材を貫通した状態を示す図、（ｂ）ネジと案内溝との係合を示す図である。
【図１４】変形例３に係る背面支持構造の（ａ）平面図、（ｂ）一部拡大平面図である。
【図１５】変形例３に係る背面支持構造の使用方法を説明する図であって、（ａ）背面支持部材を案内溝の最前部に取り付けた状態の図、（ｂ）背面支持部材を案内溝の最後部に取り付けた状態の図である。
【発明を実施するための形態】
【００２５】
本発明の実施形態について、図を参照しながら説明する。
【００２６】
本実施形態に係るスロットマシン固定具１０は、図１に示すような遊技機島４０にスロットマシン５０を固定するためのものである。
【００２７】
本実施形態に係る遊技機島４０は、図１及び図２に示すように、一対の側枠４３によって１台分のスロットマシン５０の区画が形成されており、この一対の側枠４３の間に膳板４２及び上枠４１が水平に架設されている。膳板４２はスロットマシン５０を載置するための板である。また、上枠４１はスロットマシン５０の上面を支持するための板である。本実施形態においては、スロットマシン５０を膳板４２に載置すると、上枠４１がスロットマシン５０の上方に位置するようになっている。上枠４１は、図２に示すように、膳板４２よりも前後幅が小さく形成されており、スロットマシン５０の上面の一部を覆うような配置となっている。このため、スロットマシン５０の上面後部側は、上枠４１によって覆われずに露出している。
【００２８】
本実施形態に係るスロットマシン５０の固定構造は、図２に示すように、上枠４１に取り付けられ、スロットマシン５０の上面を押さえ付けて固定するスロットマシン固定具１０と、膳板４２に取り付けられてスロットマシン５０を支持する背面支持部材４５と、を備える。
【００２９】
スロットマシン固定具１０は、上枠４１に取り付けられる固定部１１と、この固定部１１に対して上下動し、スロットマシン５０の上面を押さえ付ける押圧部２０と、この押圧部２０を上下動操作するための操作部３０と、スロットマシン５０の背面に係合する背面保持部３５を、を備える。
【００３０】
固定部１１は、図５に示すように、略Ｚ字形に屈折した板状部材であり、取り付け時に水平となる上板部１２と、上板部１２の端部から垂直下方に延びる側板部１３と、側板部１３の端部から水平方向に延びる下板部１４と、を備える。
【００３１】
上板部１２は、図４に示すように、操作部３０を取り付けるための板状部である。この上板部１２には、図７に示すように、操作部３０のクランプ軸３２を貫通させるための軸孔１２ａが貫通形成されている。
【００３２】
側板部１３及び下板部１４は、図２に示すように、上枠４１の後面及び下面に密接するアングル形状を形成している。側板部１３は、図３に示すようなネジ孔１３ａを備えている。この側板部１３は、上枠４１の後面に密接させた状態でネジ孔１３ａからネジを打ち込み、上枠４１に固定される。また、下板部１４は、図７に示すようなネジ孔１４ａを備えている。この下板部１４は、上枠４１の下面に下方から密接させた状態でネジ孔１４ａからネジを打ち込み、上枠４１に固定される。
【００３３】
押圧部２０は、上記した固定部１１に対して上下動する部材であり、本実施形態においては図３に示すように、上段バー２１と下段バー２２との２段構造となっている。この上段バー２１及び下段バー２２は、スロットマシン５０の横幅に合わせて長尺に形成されている。上段バー２１は、後述する操作部３０のクランプ軸３２の下端が接続固定される角柱状の部材である。下段バー２２は、上段バー２１の下方に上段バー２１と平行に設けられる角柱状の部材である。この下段バー２２の下面には、滑り止めのゴム材２２ａが貼り付けらており、このゴム材２２ａをスロットマシン５０の上面に圧接させてスロットマシン５０を上から押さえ付け可能となっている。
【００３４】
この上段バー２１及び下段バー２２は、調整ネジ２３によって相対的な上下位置を調整可能となっている。具体的には、調整ネジ２３は、上段バー２１に設けられた雌ねじ部を貫通するように取り付けられており、先端部が下段バー２２に設けられた凹部（座繰り穴）に係合している。このため、調整ネジ２３を締め込むことで上段バー２１と下段バー２２との間隔が狭まるようになっている。また、調整ネジ２３を緩めることで上段バー２１と下段バー２２との間隔が大きくなるようになっている。この調整ネジ２３は、下段バー２２の両端に接続されたＬ字形のネジ支持部２２ｂによって支持されることで、押圧部２０の長手方向両端部に取り付けられている。
【００３５】
なお、上段バー２１の両端部には、図５等に示すように、前方に突出した突起２１ａが設けられている。この突起２１ａは、図２に示すように、スロットマシン固定具１０を上枠４１に取り付けたときに、上枠４１の背面に向けて突出するようになっている。詳しくは後述するが、この突起２１ａは押圧部２０の回転を抑制するためのものである。
【００３６】
また、上段バー２１の中間部には、図４等に示すように、ガイド部材２５が取り付けられている。このガイド部材２５は、後述する背面保持部３５を取り付けるための部材である。本実施形態に係るガイド部材２５は、上段バー２１の上面に固定される取付部２６と、取付部２６の後端から斜めに延びる傾斜部２７と、傾斜部２７の後端から水平に延びる支持部２８と、を備える。取付部２６には、上段バー２１の上面にネジで固定するための取付孔２６ａが穿設されている（図７参照）。傾斜部２７には、背面保持部３５をスライド可能に貫通させるためのガイド孔２７ａが設けられている。支持部２８には、背面保持部３５を固定するためのネジを取り付ける固定孔２８ａが設けられている。
【００３７】
操作部３０は、カムレバー３１を操作するだけでクランプ・アンクランプが行えるワンタッチクランプ構造であり、揺動可能なカムレバー３１と、カムレバー３１に接続されて上下動可能なクランプ軸３２と、を備える。カムレバー３１を揺動操作すると、カムレバー３１が梃子となってクランプ軸３２が上下動するようになっている。クランプ軸３２が上下動すると、クランプ軸３２の下端に固定された押圧部２０が上下動する。具体的には、カムレバー３１を引き上げた状態では、図６（ａ）に示すように、押圧部２０が固定部１１に対して引き上げられた状態となる。一方、カムレバー３１を押し下げた状態では、図６（ｂ）に示すように、押圧部２０が固定部１１に対して押し下げられた状態となる。このように押圧部２０を押し下げることで、スロットマシン５０の上面を押さえ込んで固定できるようになっている。
【００３８】
背面保持部３５は、図５に示すような側面視Ｌ字形の部材である。本実施形態においては、左右の二箇所に背面保持部３５を取り付けている。この背面保持部３５は、水平方向に延びるスライド部３６と、スライド部３６の後端部から垂直下方に延びる係合部３７と、を備える。スライド部３６は、図７に示すように、ガイド部材２５のガイド孔２７ａに挿通され、下面を支持部２８に支持されている。これにより、背面保持部３５はガイド部材２５に対して前後にスライド可能となっている。また、スライド部３６には長孔３６ａが設けられている。この長孔３６ａはスライド方向に延びており、背面保持部３５をガイド部材２５に固定するために使用される。
【００３９】
上記したスロットマシン固定具１０を使用してスロットマシン５０を遊技機島４０に固定する手順は以下のとおりである。
【００４０】
まず、上枠４１に対してスロットマシン固定具１０を取り付ける。すなわち、固定部１１の側板部１３及び下板部１４を、上枠４１の後方から押し当て、ネジ孔１３ａ，１４ａからネジを打ち込んで上枠４１に固定する。このとき、図２に示すように、押圧部２０の正面が上枠４１の背面に臨むようになっている。このため、押圧部２０の突起２１ａが、上枠４１の背面に向けて突出するようになっている。
【００４１】
上枠４１に対してスロットマシン固定具１０を取り付けたら、膳板４２にスロットマシン５０を載置する。このとき、カムレバー３１は図６（ａ）に示すように引き上げた状態としておく。
【００４２】
スロットマシン５０を載置したら、カムレバー３１を押し下げる。カムレバー３１を押し下げると、押圧部２０が下動し、押圧部２０によってスロットマシン５０の上面が押さえ付けられる。なお、スロットマシン５０の上面に凹凸がある場合など、押圧部２０の高さ調整が必要であれば、調整ネジ２３を締め込むなどして下段バー２２の上下位置を調整する。
【００４３】
最後に、背面保持部３５をスロットマシン５０の前後幅に合わせて伸縮させて固定する。具体的には、図２に示すように、係合部３７がスロットマシン５０の背面に密着するように背面保持部３５をスライドさせる。そして、背面保持部３５の長孔３６ａとガイド部材２５の固定孔２８ａとを貫通するようにネジを取り付け、背面保持部３５がガイド部材２５に固定されるようにする。
【００４４】
なお、スロットマシン５０の入れ替えが発生した場合には、スロットマシン固定具１０を上枠４１から取り外す必要はなく、スロットマシン５０だけを入れ替えればよい。背面保持部３５の固定を解除してカムレバー３１を引き上げるだけでスロットマシン５０の固定が解除されるため、スロットマシン５０の入れ替え作業を容易に行うことができる。
【００４５】
背面支持部材４５は、図８に示すように膳板４２に取り付けられる金具であり、膳板４２の上面にビス４５ｂで固定される取付板部４５ａと、取付板部４５ａから垂直に立ち上げ形成された側壁部４５ｃと、側壁部４５ｃに対して直角に形成された背壁部４５ｄと、を備える。側壁部４５ｃは、スロットマシン５０の側面に密着するように取り付けられる。また、背壁部４５ｄは、スロットマシン５０の背面に密着するように取り付けられる。背面支持部材４５をスロットマシン５０の後部二箇所に取り付けることで、スロットマシン５０が後方に移動しないようにより確実に固定することができる。
【００４６】
以上説明したように、本実施形態によれば、遊技機島４０を構成する上枠４１に取り付けられる固定部１１と、前記固定部１１に対して上下動し、スロットマシン５０の上面を押さえ付ける押圧部２０と、前記押圧部２０を上下動操作するための操作部３０と、を備えた基本構造となっている。このため、スロットマシン５０の周囲を覆うような大型の装置ではなく、既存の遊技機島４０にも取り付け可能である。また、構造が小型かつ簡易であるので、製造コストを低廉に抑えることができる。
【００４７】
また、スロットマシン５０の上面を押圧部２０で押さえ付けることでスロットマシン５０を固定しているため、入れ替え作業の際にスロットマシン５０にネジを打ち込む作業が発生しない。よって、大工仕事が発生しないので、施工にかかる人件費を圧縮することができる。
【００４８】
また、入れ替え作業の際にスロットマシン５０の筐体や膳板４２・上枠４１に新たに穴を開ける必要がないので、遊技機島４０やスロットマシン５０が痛んだり、穴が大きくなってネジを螺着できなくなったりする問題も発生しない。
【００４９】
また、固定部１１が上枠４１に取り付けられたときに、押圧部２０の正面が上枠４１の背面に臨むようになっており、押圧部２０には、上枠４１の背面に向けて突出する突起２１ａが設けられている。このような構成によれば、スロットマシン５０の上面を押圧部２０で押さえ付けるという簡易な構造であっても安定してスロットマシン５０を固定することができる。
【００５０】
すなわち、押圧部２０が固定部１１に対して上下動する構造においては、押圧部２０と固定部１１との接続部（クランプ軸３２）を支点として押圧部２０が回転するおそれがある。押圧部２０が固定部１１に対して回転すると、いくら押圧部２０がしっかりとスロットマシン５０を押さえ込んでいたとしても押圧部２０自体が動いてしまうので、スロットマシン５０のガタつきが発生してしまう。スロットマシン５０がガタつくと、スロットマシン５０の姿勢が安定しないだけではなく、最悪の場合はガタつきの反動によってスロットマシン５０が遊技機島４０から外れてしまうおそれもある。
【００５１】
この点、本構成においては、上枠４１の背面に向けて突出する突起２１ａが設けられているため、押圧部２０が固定部１１に対して回転しようとしたとしても、突起２１ａが上枠４１に当たって回り止めの役割を果たす。このため、押圧部２０が動かないので、スロットマシン５０のガタつきが抑制される。そして、ガタつきが抑制されることで、ガタつきの反動によってスロットマシン５０が遊技機島４０から外れることも防止される。
【００５２】
また、スロットマシン５０の背面に係合する背面保持部３５を備える。このような構成によれば、遊技者がスロットマシン５０の回動停止ボタンを押した場合など、スロットマシン５０を後方に押すような力が加わった場合でも、背面保持部３５によってスロットマシン５０の移動を抑制することができる。
【００５３】
また、前記背面保持部３５をスロットマシン５０の前後幅に合わせて伸縮可能とした。このような構成によれば、スロットマシン５０の筐体の大きさに合わせて背面保持部３５を調整できるので、様々な種類のスロットマシン５０に対応することができる。
【００５４】
なお、上記した実施形態においては、操作部３０としてワンタッチクランプ構造を使用しているが、これに限らず、例えばネジ構造によって押圧部２０を上下動させるようにしてもよい。
【００５５】
また、上記した実施形態においては特に説明していないが、カムレバー３１が意図せずに動かないようにロックするストッパ３８を設けてもよい。ストッパ３８はカムレバー３１をロックできるものであればよく、例えば図９に示すように、カムレバー３１に対して係脱可能な揺動式のストッパ３８を設けてもよい。
【００５６】
また、上記した実施形態においては、上段バー２１の両端部に突起２１ａを設けるようにしたが、本発明の実施形態としてはこれに限らない。突起２１ａを設ける位置や、突起２１ａを設ける箇所は任意に設定可能である。ただし、本発明の効果を発揮するには、固定部１１と押圧部２０との接続部（例えばクランプ軸３２）を挟んだ両側の少なくとも２箇所に突起２１ａを設けることが望ましい。
【００５７】
なお、上記した実施形態においては、スロットマシン５０の背面下部を支持する背面支持構造として、背面支持部材４５を使用する例について説明したが、これとは異なる背面支持構造を使用してもよい。
【００５８】
例えば、図１０〜１３に示すような背面支持構造を使用してもよい。この背面支持構造は、膳板取付部材５２と、背面支持部材５３と、ピン５４と、受板５５と、を備えて構成される。
【００５９】
膳板取付部材５２は、膳板４２に固定される金具である。この膳板取付部材５２は、図１１に示すように、水平方向に突出した取付部５２ａと、取付部５２ａと直交するように垂直に設けられた当接部５２ｃと、取付部５２ａと連続するように平坦に形成された摺動支持部５２ｄと、を備える。
【００６０】
取付部５２ａは、図１１（ｂ）に示すように、膳板４２の上面に当接して固定される部位である。この取付部５２ａには、ビスなどの止具を貫通させるためのビス孔５２ｂが形成されている。このビス孔５２ｂを貫通した止具を膳板４２の上面に打ち込むことで、膳板取付部材５２が膳板４２に固定される。
【００６１】
当接部５２ｃは、図１１（ｂ）に示すように、膳板４２の後端面に当接する部位である。この当接部５２ｃと取付部５２ａとで形成される角部を、膳板４２の後端の角に当てることで、膳板取付部材５２を安定して膳板４２に取り付けることができる。
【００６２】
摺動支持部５２ｄは、後述する背面支持部材５３を摺動可能に支持するための部位である。この摺動支持部５２ｄの上面に背面支持部材５３を配置することで、背面支持部材５３が摺動支持部５２ｄの上を摺動することができるようになっている。この摺動支持部５２ｄは、膳板４２を延長するように膳板４２に連続して後方に突出しているので、スロットマシン５０もこの摺動支持部５２ｄの上を摺動することができるようになっている。
【００６３】
この摺動支持部５２ｄの上面には、図１１（ａ）に示すような案内溝５２ｅが貫通形成されている。この案内溝５２ｅは、後述するピン５４の軸部５４ａを貫通させることで、背面支持部材５３の摺動をガイドし、かつ、背面支持部材５３の位置決めを可能とするものである。この案内溝５２ｅは、同じ形状のものが左右の２箇所に形成されている。この案内溝５２ｅは、後述するピン５４の軸部５４ａの直径よりも大きな幅で形成されており、前後方向に長孔状に形成された摺動溝部５２ｆと、摺動溝部５２ｆから斜め後方に延設された複数の斜溝部５２ｇと、からなる。複数の斜溝部５２ｇは、互いに平行に形成されており、これにより案内溝５２ｅは全体として櫛刃状となっている。
【００６４】
背面支持部材５３は、スロットマシン５０の背面に当接する金具であり、スロットマシン５０とほぼ同じ横幅で形成されている。この背面支持部材５３は、スロットマシン５０の背面に当接する背壁部５３ｂと、背壁部５３ｂの両側に形成されてスロットマシン５０の側面に対向する側壁部５３ａと、背壁部５３ｂの下端から後方に延びる摺動板部５３ｃと、を備える。摺動板部５３ｃは、背壁部５３ｂに対して直角に形成されており、膳板取付部材５２の摺動支持部５２ｄの上面に当接するように配置される。この摺動板部５３ｃには、左右の２箇所に貫通孔５３ｄが形成されている。この左右の貫通孔５３ｄの間隔は、上記した左右の案内溝５２ｅの配置間隔と等しくなっている。
【００６５】
ピン５４は、図１３に示すように、背面支持部材５３の貫通孔５３ｄ及び膳板取付部材５２の案内溝５２ｅを貫通するように取り付けられ、これらを貫通した先端において受板５５に螺着している。このようにピン５４を取り付けることで、摺動板部５３ｃと受板５５とによって摺動支持部５２ｄが挟み込まれた状態となる。このとき、摺動板部５３ｃと受板５５との間隔は、摺動支持部５２ｄの厚みよりも大きく形成されている。このようにピン５４を取り付けることで、背面支持部材５３が膳板取付部材５２に対して摺動可能に取り付けられている。背面支持部材５３が膳板取付部材５２の上面を摺動するときには、ピン５４の軸部５４ａが案内溝５２ｅに沿って移動可能な範囲で摺動が可能となっている。
【００６６】
なお、背面支持部材５３でスロットマシン５０を支持するときには、図１３（ｂ）に示すように、複数の斜溝部５２ｇのいずれかにピン５４の軸部５４ａを係合させる。斜溝部５２ｇにピン５４の軸部５４ａを係合させることで、背面支持部材５３がそれ以上後方に移動できないように規制される。よって、スロットマシン５０が後方に移動しないように規制される。
【００６７】
また、複数の斜溝部５２ｇのいずれにピン５４の軸部５４ａを係合させるかにより、背面支持部材５３の位置を決定することができる。例えば、ピン５４の軸部５４ａが最前列の斜溝部５２ｇに係合するようにすれば、背面支持部材５３の位置を最も前にすることができる。また、ピン５４の軸部５４ａが最後列の斜溝部５２ｇに係合するようにすれば、背面支持部材５３の位置を最も後ろにすることができる。背面支持部材５３の位置を変えたい場合には、背面支持部材５３をスライドさせてピン５４の軸部５４ａが係合する斜溝部５２ｇを変えればよい。このように背面支持部材５３を移動できるので、膳板取付部材５２を動かすことなくスロットマシン５０の奥行き等に合わせて背面支持部材５３の位置を変えることができる。このため、例えば大きさの異なるスロットマシン５０の入れ替え作業が発生した場合でも、膳板４２に新たに穴を開けなくても背面支持部材５３の位置を変えることができ、スロットマシン５０の大きさに合わせた位置で背面支持部材５３によりスロットマシン５０を背後から支持することができる。
【００６８】
また、上記した図１０〜１３に示すような背面支持構造に代えて、図１４〜１５に示すような背面支持構造を使用してもよい。この背面支持構造は、膳板取付部材５７と、背面支持部材５８と、ピン５９と、受板６０と、を備えて構成される。
【００６９】
膳板取付部材５７は、スロットマシン５０の両側の２箇所において膳板４２に固定される金具である。この膳板取付部材５７は、図１４に示すように、水平方向に突出した取付部５７ａと、取付部５７ａと直交するように垂直に設けられた摺動支持部５７ｄと、を備える。
【００７０】
取付部５７ａは、図１４（ｂ）に示すように、膳板４２の上面に当接して固定される部位である。この取付部５７ａには、ビスなどの止具を貫通させるためのビス孔５７ｂが形成されている。このビス孔５７ｂを貫通した止具を膳板４２の上面に打ち込むことで、膳板取付部材５７が膳板４２に固定される。
【００７１】
摺動支持部５７ｄは、後述する背面支持部材５８を摺動可能に支持するための部位である。この摺動支持部５７ｄは、取付部５７ａから垂直に立ち上がっており、その側面において背面支持部材５８の摺動を支持している。
【００７２】
この摺動支持部５７ｄの側面には、図１５（ａ）に示すような案内溝５７ｅが貫通形成されている。この案内溝５７ｅは、後述するピン５９の軸部５９ａを貫通させることで、背面支持部材５８の摺動をガイドし、かつ、背面支持部材５８の位置決めを可能としている。この案内溝５７ｅは、対向する膳板取付部材５７のそれぞれに、同じ形状で形成されている。この案内溝５７ｅは、後述するピン５９の軸部５９ａの直径よりも大きな幅で形成されており、前後方向に長孔状に形成された摺動溝部５７ｆと、摺動溝部５７ｆから斜め下方に延設された複数の斜溝部５７ｇと、からなる。複数の斜溝部５７ｇは、互いに平行に形成されており、これにより案内溝５７ｅは全体として櫛刃状となっている。
【００７３】
背面支持部材５８は、スロットマシン５０の背面に当接する平面視Ｌ字形の金具である。この背面支持部材５８は、スロットマシン５０の背面に当接する背壁部５８ｂと、背壁部５８ｂに対して直角に形成された側壁部５８ａと、を備える。側壁部５８ａは、膳板取付部材５７の摺動支持部５７ｄの側面に当接するように配置される。この側壁部５８ａには、図１４（ｂ）に示すように、前後２箇所に貫通孔５８ｄが形成されている。
【００７４】
ピン５９は、図１４（ｂ）に示すように、背面支持部材５８の貫通孔５８ｄ及び膳板取付部材５７の案内溝５７ｅを貫通するように取り付けられ、これらを貫通した先端において受板６０に螺着している。このようにピン５９を取り付けることで、側壁部５８ａと受板６０とによって摺動支持部５７ｄが挟み込まれた状態となっている。このとき、側壁部５８ａと受板６０との間隔は、摺動支持部５７ｄの厚みよりも大きく形成されている。このように形成することで、背面支持部材５８が膳板取付部材５７に摺動可能に取り付けられている。背面支持部材５８が膳板取付部材５７の側面を摺動するときには、ピン５９の軸部５９ａが案内溝５７ｅに沿って移動可能な範囲で摺動が可能となっている。
【００７５】
なお、背面支持部材５８でスロットマシン５０を支持するときには、図１５に示すように、複数の斜溝部５７ｇのいずれかにピン５９の軸部５９ａを係合させる。斜溝部５７ｇにピン５９の軸部５９ａを係合させることで、背面支持部材５８がそれ以上後方に移動できないように規制される。よって、スロットマシン５０が後方に移動しないように規制される。
【００７６】
また、複数の斜溝部５７ｇのいずれにピン５９の軸部５９ａを係合させるかにより、背面支持部材５８の位置を決定することができる。例えば、図１５（ａ）に示すように、ピン５９の軸部５９ａが最前列の斜溝部５７ｇに係合するようにすれば、背面支持部材５８の位置を最も前にすることができる。また、図１５（ｂ）に示すように、ピン５９の軸部５９ａが最後列の斜溝部５７ｇに係合するようにすれば、背面支持部材５８の位置を最も後ろにすることができる。背面支持部材５８の位置を変えたい場合には、背面支持部材５８をスライドさせてピン５９の軸部５９ａが係合する斜溝部５７ｇを変えればよい。このように背面支持部材５８を移動できるので、膳板取付部材５７を動かすことなくスロットマシン５０の奥行き等に合わせて背面支持部材５８の位置を変えることができる。このため、例えば大きさの異なるスロットマシン５０の入れ替え作業が発生した場合でも、膳板４２に新たに穴を開けなくても背面支持部材５８の位置を変えることができ、スロットマシン５０の大きさに合わせた位置で背面支持部材５８によりスロットマシン５０を背後から支持することができる。
【符号の説明】
【００７７】
１０  スロットマシン固定具
１１  固定部
１２  上板部
１２ａ  軸孔
１３  側板部
１３ａ  ネジ孔
１４  下板部
１４ａ  ネジ孔
２０  押圧部
２１  上段バー
２１ａ  突起
２２  下段バー
２２ａ  ゴム材
２２ｂ  ネジ支持部
２３  調整ネジ
２５  ガイド部材
２６  取付部
２６ａ  取付孔
２７  傾斜部
２７ａ  ガイド孔
２８  支持部
２８ａ  固定孔
３０  操作部
３１  カムレバー
３２  クランプ軸
３５  背面保持部
３６  スライド部
３６ａ  長孔
３７  係合部
３８  ストッパ
４０  遊技機島
４１  上枠
４２  膳板
４３  側枠
４５  背面支持部材
４５ａ  取付板部
４５ｂ  ビス
４５ｃ  側壁部
４５ｄ  背壁部
５０  スロットマシン
５２  膳板取付部材
５２ａ  取付部
５２ｂ  ビス孔
５２ｃ  当接部
５２ｄ  摺動支持部
５２ｅ  案内溝
５２ｆ  摺動溝部
５２ｇ  斜溝部
５３  背面支持部材
５３ａ  側壁部
５３ｂ  背壁部
５３ｃ  摺動板部
５３ｄ  貫通孔
５４  ピン
５４ａ  軸部
５５  受板
５７  膳板取付部材
５７ａ  取付部
５７ｂ  ビス孔
５７ｄ  摺動支持部
５７ｅ  案内溝
５７ｆ  摺動溝部
５７ｇ  斜溝部
５８  背面支持部材
５８ａ  側壁部
５８ｂ  背壁部
５８ｄ  貫通孔
５９  ピン
５９ａ  軸部
６０  受板
【図１】
2017131615.tif 000003
【図２】
2017131615.tif 000004
【図３】
2017131615.tif 000005
【図４】
2017131615.tif 000006
【図５】
2017131615.tif 000007
【図６】
2017131615.tif 000008
【図７】
2017131615.tif 000009
【図８】
2017131615.tif 000010
【図９】
2017131615.tif 000011
【図１０】
2017131615.tif 000012
【図１１】
2017131615.tif 000013
【図１２】
2017131615.tif 000014
【図１３】
2017131615.tif 000015
【図１４】
2017131615.tif 000016
【図１５】
2017131615.tif 000017